(57)【要約】【課題】電源の状態に応じて消費電力を変更することができる無線通信装置を提供する。【解決手段】無線通信装置１０１において、電圧検出回路２が一次電池１の出力電圧を検出し、制御回路４が電圧検出回路２の検出結果に応じてスイッチ３を制御する。一次電池１の出力電圧が所定値以上である場合は、スイッチ３が接点３ａ側に切り替わり、第１通信回路５が給電される。一次電池１の出力電圧が所定値未満である場合は、スイッチ３が接点３ｂ側に切り替わり、第１通信回路５より消費電力が小さく且つ最大データ伝送距離が短い第２通信回路６に給電される。【選択図】　　　図１
2004015155.tif 000002
【特許請求の範囲】
【請求項１】
第１通信回路と、
前記第１通信回路よりも消費電力が小さく且つ前記第１通信回路より最大データ伝送距離が短い第２通信回路と、
駆動電圧を検出する電圧検出手段と、
前記駆動電圧を前記第１通信回路及び前記第２通信回路のいずれか一方に供給するスイッチ手段と、
前記電圧検出手段の検出結果を入力し、前記駆動電圧が所定値以上である場合は前記駆動電圧が前記第１通信回路に供給されるように前記スイッチ手段を制御し、前記駆動電圧が所定値未満である場合は前記駆動電圧が前記第２通信回路に供給されるように前記スイッチ手段を制御する制御手段と、
を備えることを特徴とする無線通信装置。
【請求項２】
第１通信回路と、
前記第１通信回路よりも消費電力が小さく且つ前記第１通信回路より最大データ伝送距離が短い第２通信回路と、
直流電圧を出力する電源回路と、
電池の出力電圧を入力する電源端子と、
前記電源回路の出力電圧及び前記電源端子に印加される電圧のいずれか一方を前記第１通信回路及び前記第２通信回路のいずれか一方に供給するスイッチ手段と、
前記電源回路の出力電圧を検出する電圧検出手段と、
前記電圧検出手段の検出結果を入力し、前記電源回路が所定の電圧を出力している場合は前記電源回路の出力電圧が前記第１通信回路に供給されるように前記スイッチ手段を制御し、前記電源回路が所定の電圧を出力していない場合は前記電源端子に印加される電圧が前記第２通信回路に供給されるように前記スイッチ手段を制御する制御手段と、
を備えることを特徴とする無線通信装置。
【請求項３】
第１通信回路と、
前記第１通信回路よりも消費電力が小さく且つ前記第１通信回路より最大データ伝送距離が短い第２通信回路と、
直流電圧を入力するＤＣ電源端子と、
電池の出力電圧を入力する電源端子と、
前記ＤＣ電源端子に印加される電圧及び前記電源端子に印加される電圧のいずれか一方を前記第１通信回路及び前記第２通信回路のいずれか一方に供給するスイッチ手段と、
前記ＤＣ電源端子に印加される電圧を検出する電圧検出手段と、
前記電圧検出手段の検出結果を入力し、前記ＤＣ電源端子に所定の電圧が印加されている場合は前記ＤＣ電源端子に印加されている電圧が前記第１通信回路に供給されるように前記スイッチ手段を制御し、前記ＤＣ電源端子に所定の電圧が印加されていない場合は前記電源端子に印加される電圧が前記第２通信回路に供給されるように前記スイッチ手段を制御する制御手段と、
を備えることを特徴とする無線通信装置。
【請求項４】
前記制御手段の動作にかかわらず、強制的に前記第１通信回路に給電するとともに前記第２通信回路への給電を行わないように前記スイッチ手段を制御する第１通信回路強制選択手段を備える請求項１〜３のいずれかに記載の無線通信装置。
【請求項５】
前記制御手段の動作にかかわらず、強制的に前記第２通信回路に給電するとともに前記第１通信回路への給電を行わないように前記スイッチ手段を制御する第２通信回路強制選択手段を備える請求項１〜３のいずれかに記載の無線通信装置。
【請求項６】
前記第１通信回路と前記第２通信回路のどちらが動作しているのかを報知する報知手段を備える請求項１〜５のいずれかに記載の無線通信装置。
【請求項７】
請求項１〜６のいずれかに記載の無線通信装置と、前記第１通信回路及び前記第２通信回路の両方と通信可能な無線通信装置と、からなることを特徴とする無線通信システム。
【発明の詳細な説明】
【０００１】
【発明の属する技術分野】
本発明は、無線ＬＡＮ（Ｗｉｒｅｌｅｓｓ　ｌｏｃａｌ　ａｒｅａ　ｎｅｔｗｏｒｋ）や無線ＰＡＮ（Ｗｉｒｅｌｅｓｓ　ｐｅｒｓｏｎａｌ　ａｒｅａ　ｎｅｔｗｏｒｋ）等に用いられる無線通信装置に関するものである。
【０００２】
【従来の技術】
無線ＬＡＮや無線ＰＡＮは、伝送路にケーブルを使用しないため、ユーザがケーブル配線のわずらわしさから開放されるという利点を有している。ここで、無線ＬＡＮや無線ＰＡＮ等に用いられる従来の無線通信システムを図７に示す。図７の無線通信システムは、無線通信装置２２と無線通信装置２３によって構成される。
【０００３】
図７の無線通信システムを無線ＬＡＮに用いる場合は、無線通信装置２２及び２３を比較的遠距離の通信を行える無線通信装置にする。これにより、無線通信装置間の距離に気を使う必要がなくなる。比較的遠距離の通信を行える無線通信装置としては、例えば、「ＩＥＥＥ８０２．１１ｂ」規格に適合し、２．４ＧＨｚ帯を利用した直接拡散方式のスペクトラム拡散通信を行う無線通信装置が挙げられる。「ＩＥＥＥ８０２．１１ｂ」規格の無線通信装置の最大データ伝送距離は１００ｍであり、データ伝送速度は１１Ｍｂｐｓである。
【０００４】
一方、無線ＰＡＮに用いる場合は、無線通信装置間の距離が短いため、無線通信装置２２及び２３を比較的近距離の通信が行える無線通信装置にする。比較的近距離の通信が行える無線通信装置としては、例えば、「Ｂｌｕｅｔｏｏｔｈ」規格に適合し、２．４ＧＨｚ帯を利用した周波数ホッピング方式のスペクトラム拡散通信を行う無線通信装置が挙げられる。「Ｂｌｕｅｔｏｏｔｈ」規格の無線通信装置の最大データ伝送距離は１０ｍであり、データ伝送速度は１Ｍｂｐｓである。
【０００５】
【発明が解決しようとする課題】
上述したように従来は構築するネットワークの種類に応じて無線通信装置を使い分けていた。しかしながら、無線通信装置において消費電力と最大データ伝送距離とがトレードオフの関係にあるという問題があった。
【０００６】
すなわち、上述した「ＩＥＥＥ８０２．１１ｂ」規格に適合する無線通信装置は、最大データ伝送距離が比較的長くてデータ伝送速度が比較的速いことから、送受信による消費電力が大きいという問題があった。一方、上述した「Ｂｌｕｅｔｏｏｔｈ」規格に適合する無線通信装置は、送受信による消費電力は小さいが、最大データ伝送距離が比較的短くてデータ伝送速度が比較的遅いという問題があった。
【０００７】
そして、電源の状態に応じて消費電力の大きさに対する評価が異なるため、上述した「ＩＥＥＥ８０２．１１ｂ」規格に適合する無線通信装置と上述した「Ｂｌｕｅｔｏｏｔｈ」規格に適合する無線通信装置のどちらがより好ましいかは一概に定まらなかった。
【０００８】
本発明は、上記の問題点に鑑み、電源の状態に応じて消費電力を変更することができる無線通信装置を提供することを目的とする。
【０００９】
【課題を解決するための手段】
上記目的を達成するために、本発明に係る無線通信装置においては、第１通信回路と、前記第１通信回路よりも消費電力が小さく且つ前記第１通信回路より最大データ伝送距離が短い第２通信回路と、駆動電圧を検出する電圧検出手段と、前記駆動電圧を前記第１通信回路及び前記第２通信回路のいずれか一方に供給するスイッチ手段と、前記電圧検出手段の検出結果を入力し、前記駆動電圧が所定値以上である場合は前記駆動電圧が前記第１通信回路に供給されるように前記スイッチ手段を制御し、前記駆動電圧が所定値未満である場合は前記駆動電圧が前記第２通信回路に供給されるように前記スイッチ手段を制御する制御手段と、を備える構成とする。
【００１０】
このような構成にすることにより、駆動電圧が所定値以上である場合すなわち消費電力の低減がさほど重要でない場合は、第１通信回路が給電され、第２通信回路への給電が停止されるので、最大データ伝送距離が長くなり、無線通信装置間の距離に気を使うことなく、無線通信装置を移動させて使用することができる。一方、駆動電圧が所定値未満である場合すなわち消費電力の低減が比較的重要である場合は、第１通信回路への給電が停止され、第２通信回路に給電されるので、消費電力が小さくなり、駆動電圧を電池から得ている場合には通信動作時間を延ばすことができる。
【００１１】
また、無線通信装置が、第１通信回路と、前記第１通信回路よりも消費電力が小さく且つ前記第１通信回路より最大データ伝送距離が短い第２通信回路と、直流電圧を出力する電源回路と、電池の出力電圧を入力する電源端子と、前記電源回路の出力電圧及び前記電源端子に印加される電圧のいずれか一方を前記第１通信回路及び前記第２通信回路のいずれか一方に供給するスイッチ手段と、前記電源回路の出力電圧を検出する電圧検出手段と、前記電圧検出手段の検出結果を入力し、前記電源回路が所定の電圧を出力している場合は前記電源回路の出力電圧が前記第１通信回路に供給されるように前記スイッチ手段を制御し、前記電源回路が所定の電圧を出力していない場合は前記電源端子に印加される電圧が前記第２通信回路に供給されるように前記スイッチ手段を制御する制御手段と、を備える構成とする。
【００１２】
このような構成にすることにより、電源回路が所定の電圧を出力している場合すなわち消費電力の低減がさほど重要でない場合は、第１通信回路が給電され、第２通信回路への給電が停止されるので、最大データ伝送距離が長くなり、無線通信装置間の距離に気を使うことなく、無線通信装置を移動させて使用することができる。一方、電源回路が所定の電圧を出力しておらず電池が電源となる場合すなわち消費電力の低減が比較的重要である場合は、第１通信回路への給電が停止され、第２通信回路に給電されるので、消費電力が小さくなり、電池の消耗を低減し通信動作時間を延ばすことができる。
【００１３】
また、無線通信装置が、第１通信回路と、前記第１通信回路よりも消費電力が小さく且つ前記第１通信回路より最大データ伝送距離が短い第２通信回路と、直流電圧を入力するＤＣ電源端子と、電池の出力電圧を入力する電源端子と、前記ＤＣ電源端子に印加される電圧及び前記電源端子に印加される電圧のいずれか一方を前記第１通信回路及び前記第２通信回路のいずれか一方に供給するスイッチ手段と、前記ＤＣ電源端子に印加される電圧を検出する電圧検出手段と、前記電圧検出手段の検出結果を入力し、前記ＤＣ電源端子に所定の電圧が印加されている場合は前記ＤＣ電源端子に印加されている電圧が前記第１通信回路に供給されるように前記スイッチ手段を制御し、前記ＤＣ電源端子に所定の電圧が印加されていない場合は前記電源端子に印加される電圧が前記第２通信回路に供給されるように前記スイッチ手段を制御する制御手段と、を備える構成とする。
【００１４】
このような構成にすることにより、ＤＣ電源端子に所定の電圧が印加されている場合すなわち消費電力の低減がさほど重要でない場合は、第１通信回路が給電され、第２通信回路への給電が停止されるので、最大データ伝送距離が長くなり、無線通信装置間の距離に気を使うことなく、無線通信装置を移動させて使用することができる。一方、ＤＣ電源端子に所定の電圧が印加されておらず電池が電源となる場合すなわち消費電力の低減が比較的重要である場合は、第１通信回路への給電が停止され、第２通信回路に給電されるので、消費電力が小さくなり、電池の消耗を低減し通信動作時間を延ばすことができる。また、外部の電源回路と装脱着が可能であるため、無線通信装置の使い勝手を向上させることができる。
【００１５】
なお、上記第１通信回路と上記第２通信回路の組み合わせの一例としては、上記第１通信回路を「ＩＥＥＥ８０２．１１ｂ」規格に適合する無線通信装置にし、上記第２通信回路を「Ｂｌｕｅｔｏｏｔｈ」規格に適合する無線通信装置にする組み合わせが挙げられる。
【００１６】
また、上記いずれかの構成の無線通信装置において、前記制御手段の動作にかかわらず、強制的に前記第１通信回路に給電するとともに前記第２通信回路への給電を行わないように前記スイッチ手段を制御する第１通信回路強制選択手段を備えてもよい。
【００１７】
このような構成にすることにより、ユーザが電池の消耗低減よりも通信距離を確保することを優先する場合にも対応させることができ、無線通信装置の使い勝手を向上させることができる。
【００１８】
また、上記いずれかの構成の無線通信装置において、前記制御手段の動作にかかわらず、強制的に前記第２通信回路に給電するとともに前記第１通信回路への給電を行わないように前記スイッチ手段を制御する第２通信回路強制選択手段を備えるようにしてもよい。
【００１９】
このような構成にすることにより、ユーザが通信距離を確保するよりも電池の消耗低減を確保することを優先する場合にも対応させることができ、無線通信装置の使い勝手を向上させることができる。
【００２０】
さらに、前記第１通信回路と前記第２通信回路のどちらが動作しているのかを報知する報知手段を備えてもよい。
【００２１】
このような構成にすることにより、第１通信回路と第２通信回路のどちらが動作しているのかをユーザが知ることができる。これにより、ユーザが第２通信回路動作時すなわち近距離通信時に無線通信装置相互間の距離に予め気を付けて使用することにでき、無線通信装置相互間の距離が離れ過ぎているために通信不能となることを防止することができる。
【００２２】
本発明に係る無線通信システムにおいては、上記いずれかの構成の無線通信装置と、前記第１通信回路及び前記第２通信回路の両方と通信可能な無線通信装置と、からなる構成とする。
【００２３】
このような構成にすることにより、前記第１通信回路と前記第２通信回路のどちらが動作していても通信可能な無線通信システムを提供することができる。なお、第１通信回路及び第２通信回路の両方と通信可能な無線通信装置は、消費電力が大きく携帯端末に設けるのに適さないため、アクセスポイントとして用いることが好ましい。
【００２４】
【発明の実施の形態】
以下に本発明の一実施形態について図面を参照して説明する。まず、本発明の第一実施形態について説明する。本発明に係る第一実施形態の無線通信装置を図１に示す。第一実施形態の無線通信装置１０１は一次電池１を内蔵している。一次電池１の正極側は電圧検出回路２の入力側及びスイッチ３の共通接点３ｃに接続される。一次電池１の負極側は接地される。電圧検出回路２の出力側は制御回路４のポートＰ３に接続される。また、制御回路４はスイッチ３の制御端子に接続される。
【００２５】
そして、スイッチ３の接点３ａが抵抗Ｒ１の一端及び第１通信回路５に接続される。抵抗Ｒ１の他端が発光ダイオードＤ１のアノードに接続され、発光ダイオードＤ１のカソードが接地される。
【００２６】
また、スイッチ３の接点３ｂが抵抗Ｒ２の一端及び第２通信回路６に接続される。抵抗Ｒ２の他端が発光ダイオードＤ２のアノードに接続され、発光ダイオードＤ２のカソードが接地される。
【００２７】
さらに、制御回路４のポートＰ１がスイッチ７を介して接地され、制御回路４のポートＰ２がスイッチ８を介して接地される。また、制御回路４のポートＰ１が抵抗Ｒ３の一端に接続され、制御回路４のポートＰ２が抵抗Ｒ４の一端に接続される。そして、抵抗Ｒ３の他端と抵抗Ｒ４の他端とが互いに接続され、その接続ノードにはＨｉｇｈレベルの電圧＋Ｂが印加される。
【００２８】
このような構成の無線通信装置１０１の動作について説明する。電圧検出回路２は、コンパレータ及び基準電圧源（図示せず）を備えている。電圧検出回路２は一次電池１の出力電圧を入力し、一次電池１の出力電圧と基準電圧源から出力される基準電圧とを比較し、一次電池１の出力電圧が基準電圧以上であればＨｉｇｈレベルの信号を制御回路４のポートＰ３に出力し、一次電池１の出力電圧が基準電圧未満であればＬｏｗレベルの信号を制御回路４のポートＰ３に出力する。
【００２９】
無線通信装置１０１に設けられるスイッチボタン（図示せず）をユーザが操作することによって、スイッチ７及び８の開閉が制御される。スイッチ７が閉成状態であれば制御回路４のポートＰ１はＬｏｗレベルになり、スイッチ７が開成状態であれば制御回路４のポートＰ１はＨｉｇｈレベルになる。同様に、スイッチ８が閉成状態であれば制御回路４のポートＰ２はＬｏｗレベルになり、スイッチ８が開成状態であれば制御回路４のポートＰ２はＨｉｇｈレベルになる。
【００３０】
続いて、制御回路４の動作について図２のフローチャート図を参照して説明する。ステップＳ１０において、制御回路４はポートＰ１に入力されている信号がＬｏｗレベルであるか否かを判定する。ポートＰ１に入力されている信号がＬｏｗレベルであれば（ステップＳ１０のＹｅｓ）、ステップＳ４０に移行する。ポートＰ１に入力されている信号がＬｏｗレベルでなければ（ステップＳ１０のＮｏ）、ステップＳ２０に移行する。
【００３１】
ステップＳ２０において、制御回路４は、ポートＰ２に入力されている信号がＬｏｗレベルであるか否かを判定する。ポートＰ２に入力されている信号がＬｏｗレベルであれば（ステップＳ２０のＹｅｓ）、ステップＳ５０に移行する。ポートＰ２に入力されている信号がＬｏｗレベルでなければ（ステップＳ２０のＮｏ）、ステップＳ３０に移行する。
【００３２】
ステップＳ３０において、制御回路４は、ポートＰ３に入力されている信号がＨｉｇｈレベルであるか否かを判定する。ポートＰ３に入力されている信号がＨｉｇｈレベルであれば（ステップＳ３０のＹｅｓ）、ステップＳ４０に移行する。一方、ポートＰ３に入力されている信号がＨｉｇｈレベルでなければ（ステップＳ３０のＮｏ）、ステップＳ５０に移行する。
【００３３】
ステップＳ４０において、制御回路４は、スイッチ３を接点３ａ側に切り替える。そして、その後ステップＳ１０に移行する。
【００３４】
ステップＳ５０において、制御回路４は、スイッチ３を接点３ｂ側に切り替える。そして、その後ステップＳ１０に移行する。
【００３５】
制御回路４が上記動作を行ってスイッチ３を制御するので、スイッチ７が閉成状態のときは、一次電池１の出力電圧の値にかかわらず、強制的にスイッチ３を介して一次電池１と第１通信回路５とを接続する。したがって、最大データ伝送距離を常に大きく確保したい等の場合にはスイッチ７を閉成状態にするとよい。一方、スイッチ８が閉成状態のときは、一次電池１の出力電圧の値にかかわらず、強制的にスイッチ３を介して一次電池１と第２通信回路６とを接続する。したがって、常に省電力化を図りたい場合にはスイッチ８を閉成状態にするとよい。
【００３６】
スイッチ７及び８がともに開成状態のときは、一次電池１の出力電圧が基準電圧以上であれば第１通信回路５が給電される。また、一次電池１の出力電圧が基準電圧以上でなければ第２通信回路６が給電される。
【００３７】
したがって、一次電池１の出力電圧が基準電圧以上である場合すなわち消費電力の低減がさほど重要でない場合は、第１通信回路５が給電され、第２通信回路６への給電が停止されるので、最大データ伝送距離が長くなり、無線通信装置間の距離に気を使うことなく、無線通信装置を移動させて使用することができる。一方、一次電池１の出力電圧が基準電圧未満である場合すなわち消費電力の低減が比較的重要である場合は、第１通信回路５への給電が停止され、第２通信回路６に給電されるので、消費電力が小さくなり、一次電池１の消耗が低減され通信動作時間を延ばすことができる。
【００３８】
また、第１通信回路５が給電されているときは発光ダイオードＤ１にも電力が供給されるので、発光ダイオードＤ１が発光する。また、第２通信回路６が給電されているときは発光ダイオードＤ２にも電力が供給されるので、発光ダイオードＤ２が発光する。
【００３９】
したがって、ユーザは発光ダイオードＤ１及びＤ２の点灯の有無によって第１通信回路５と第２通信回路６のどちらが動作しているのかを知ることができる。これにより、ユーザが第２通信回路６の動作時すなわち近距離通信時に無線通信装置相互間の距離に予め気を付けて使用することができ、無線通信装置相互間の距離が離れ過ぎているために通信不能となることを防止することができる。
【００４０】
なお、第１通信回路５と第２通信回路６の組み合わせの一例としては、第１通信回路５を「ＩＥＥＥ８０２．１１ｂ」規格に適合する無線通信装置にし、第２通信回路６を「Ｂｌｕｅｔｏｏｔｈ」規格に適合する無線通信装置にする組み合わせが挙げられる。
【００４１】
次に、本発明の第二実施形態について説明する。本発明に係る第二実施形態の無線通信装置を図３に示す。なお、図３において図１と同一の部分には同一の符号を付す。
【００４２】
商用電源プラグ９の出力側に接続されるＡＣ電源端子１０が電源回路１１の入力側に接続される。電源回路１１はＡＣ／ＤＣコンバータを備えており、所定の直流電圧を出力する。電源回路１１の出力側は、スイッチ１２の接点１２ｂ及び電圧検出回路２の入力側に接続される。電圧検出回路２の出力側は制御回路４’のポートＰ３に接続される。
【００４３】
第二実施形態の無線通信装置１０２は一次電池１を内蔵している。一次電池１の正極側は電源端子（図示せず）を介してスイッチ１２の接点１２ａに接続される。一次電池１の負極側は接地される。
【００４４】
さらに、スイッチ１２の共通接点１２ｃがスイッチ３の共通接点３ｃに接続される。スイッチ３の接点３ａが抵抗Ｒ１の一端及び第１通信回路５に接続される。抵抗Ｒ１の他端が発光ダイオードＤ１のアノードに接続され、発光ダイオードＤ１のカソードが接地される。また、スイッチ３の接点３ｂが抵抗Ｒ２の一端及び第２通信回路６に接続される。抵抗Ｒ２の他端が発光ダイオードＤ２のアノードに接続され、発光ダイオードＤ２のカソードが接地される。
【００４５】
さらに、制御回路４’のポートＰ１がスイッチ７を介して接地され、制御回路４’のポートＰ２がスイッチ８を介して接地される。また、制御回路４’のポートＰ１が抵抗Ｒ３の一端に接続され、制御回路４’のポートＰ２が抵抗Ｒ４の一端に接続される。そして、抵抗Ｒ３の他端と抵抗Ｒ４の他端とが互いに接続され、その接続ノードにはＨｉｇｈレベルの電圧＋Ｂが印加される。また、制御回路４’がスイッチ１２の制御端子及びスイッチ３の制御端子にそれぞれ接続される。
【００４６】
このような構成の無線通信装置１０２の動作について説明する。電圧検出回路２は、コンパレータ及び基準電圧源（図示せず）を備えている。電圧検出回路２は電源回路１１の出力電圧を入力し、電源回路１１の出力電圧と基準電圧源から出力される基準電圧とを比較し、電源回路１１の出力電圧が基準電圧以上であればＨｉｇｈレベルの信号を制御回路４’のポートＰ３に出力し、電源回路１１の出力電圧が基準電圧未満であればＬｏｗレベルの信号を制御回路４’のポートＰ３に出力する。
【００４７】
無線通信装置１０２に設けられるスイッチボタン（図示せず）をユーザが操作することによって、スイッチ７及び８の開閉が制御される。スイッチ７が閉成状態であれば制御回路４’のポートＰ１はＬｏｗレベルになり、スイッチ７が開成状態であれば制御回路４’のポートＰ１はＨｉｇｈレベルになる。同様に、スイッチ８が閉成状態であれば制御回路４’のポートＰ２はＬｏｗレベルになり、スイッチ８が開成状態であれば制御回路４’のポートＰ２はＨｉｇｈレベルになる。
【００４８】
続いて、制御回路４’の動作について図４のフローチャート図を参照して説明する。ステップＳ１１０において、制御回路４’はポートＰ１に入力されている信号がＬｏｗレベルであるか否かを判定する。ポートＰ１に入力されている信号がＬｏｗレベルであれば（ステップＳ１１０のＹｅｓ）、ステップＳ１４０に移行する。ポートＰ１に入力されている信号がＬｏｗレベルでなければ（ステップＳ１１０のＮｏ）、ステップＳ１２０に移行する。
【００４９】
ステップＳ１２０において、制御回路４’は、ポートＰ２に入力されている信号がＬｏｗレベルであるか否かを判定する。ポートＰ２に入力されている信号がＬｏｗレベルであれば（ステップＳ１２０のＹｅｓ）、ステップＳ１５０に移行する。ポートＰ２に入力されている信号がＬｏｗレベルでなければ（ステップＳ１２０のＮｏ）、ステップＳ１３０に移行する。
【００５０】
ステップＳ１３０において、制御回路４’は、ポートＰ３に入力されている信号がＨｉｇｈレベルであるか否かを判定する。ポートＰ３に入力されている信号がＨｉｇｈレベルであれば（ステップＳ１３０のＹｅｓ）、ステップＳ１４０に移行する。一方、ポートＰ３に入力されている信号がＨｉｇｈレベルでなければ（ステップＳ１３０のＮｏ）、ステップＳ１５０に移行する。
【００５１】
ステップＳ１４０において、制御回路４’は、スイッチ１２を接点１２ｂ側に切り替え、ステップＳ１４５に移行する。ステップＳ１４５において、制御回路４’は、スイッチ３を接点３ａ側に切り替える。そして、その後ステップＳ１０に移行する。
【００５２】
ステップＳ１５０において、制御回路４’は、スイッチ１２を接点１２ａ側に切り替え、ステップＳ１５５に移行する。ステップＳ１５５において、制御回路４’は、スイッチ３を接点３ｂ側に切り替える。そして、その後ステップＳ１０に移行する。
【００５３】
制御回路４’が上記動作を行ってスイッチ１２及びスイッチ３を制御するので、スイッチ７が閉成状態のときは、電源回路１１の出力電圧の値にかかわらず、強制的にスイッチ１２及び３を介して電源回路１１と第１通信回路５とを接続する。したがって、最大データ伝送距離を常に大きく確保したい等の場合にはスイッチ７を閉成状態にするとよい。一方、スイッチ８が閉成状態のときは、電源回路１１の出力電圧の値にかかわらず、強制的にスイッチ１２及び３を介して一次電池１と第２通信回路６とを接続する。したがって、常に省電力化を図りたい場合にはスイッチ８を閉成状態にするとよい。
【００５４】
スイッチ７及び８がともに開成状態のときは、電源回路１１の出力電圧が基準電圧以上であれば第１通信回路５が給電される。また、電源回路１１の出力電圧が基準電圧未満であれば第２通信回路６が給電される。
【００５５】
したがって、電源回路１１が基準電圧以上の電圧を出力している場合すなわち消費電力の低減がさほど重要でない場合は、第１通信回路５が給電され、第２通信回路６への給電が停止されるので、最大データ伝送距離が長くなり、無線通信装置間の距離に気を使うことなく、無線通信装置を移動させて使用することができる。一方、電源電圧１１が基準電圧以上の電圧を出力しておらず一次電池１が電源になっている場合すなわち消費電力の低減が比較的重要である場合は、第１通信回路５への給電が停止され、第２通信回路６に給電されるので、消費電力が小さくなり、一次電池１の消耗が低減され通信動作時間を延ばすことができる。
【００５６】
また、第１通信回路５が給電されているときは発光ダイオードＤ１にも電力が供給されるので、発光ダイオードＤ１が発光する。また、第２通信回路６が給電されているときは発光ダイオードＤ２にも電力が供給されるので、発光ダイオードＤ２が発光する。
【００５７】
したがって、ユーザは発光ダイオードＤ１及びＤ２の点灯の有無によって第１通信回路５と第２通信回路６のどちらが動作しているのかを知ることができる。これにより、ユーザが第２通信回路６の動作時すなわち近距離通信時に無線通信装置相互間の距離に予め気を付けて使用することができ、無線通信装置相互間の距離が離れ過ぎているために通信不能となることを防止することができる。
【００５８】
なお、第１通信回路５と第２通信回路６の組み合わせの一例としては、第１通信回路５を「ＩＥＥＥ８０２．１１ｂ」規格に適合する無線通信装置にし、第２通信回路６を「Ｂｌｕｅｔｏｏｔｈ」規格に適合する無線通信装置にする組み合わせが挙げられる。
【００５９】
また、一次電池１の代わりに二次電池を内蔵してもよい。この場合、電源回路１１の出力電圧を入力し二次電池を充電する充電回路を設けるようにするとよい。また、ＡＣ電源端子１０の代わりにＤＣ電圧が印加される端子を設け、尚かつＡＣ／ＤＣコンバータを備えた電源回路１１の代わりにＤＣ／ＤＣコンバータを備えた電源回路を設けるようにしてもよい。また、本実施形態では、スイッチ７が閉成状態の場合強制的にスイッチ１２及び３を介して電源回路１１と第１通信回路５とを接続し、スイッチ８が閉成状態の場合強制的にスイッチ１２及び３を介して一次電池１と第２通信回路６とを接続したが、本発明はこれに限定されることはなく、例えばスイッチ７が閉成状態の場合強制的にスイッチ３が接点３ａ側に切り替わるがスイッチ１２は電源回路１１の出力電圧値に応じて切り替わるようにし、スイッチ８が閉成状態の場合強制的にスイッチ３が接点３ｂ側に切り替わるがスイッチ１２は電源回路１１の出力電圧値に応じて切り替わるようにしてもよい。
【００６０】
次に、本発明の第三実施形態について説明する。本発明に係る第三実施形態の無線通信装置を図５に示す。なお、図５において図３と同一の部分には同一の符号を付す。
【００６１】
第三実施形態の無線通信装置１０３はＡＣアダプタ１０４に接続される。ＡＣアダプタ１０４は、ＡＣ電源端子１６、電源回路１７、及びＤＣ電源端子１８を備えている。商用電源プラグ９の出力側に接続されるＡＣ電源端子１６が電源回路１７の入力側に接続される。電源回路１７はＡＣ／ＤＣコンバータを備えており、所定の直流電圧を出力する。電源回路１７の出力側は、ＤＣ電源端子１８に接続される。
【００６２】
ＡＣアダプタ１０４のＤＣ電源端子１８と第三実施形態の無線通信装置１０３のＤＣ電源端子１３とが接続されることで、第三実施形態の無線通信装置１０３とＡＣアダプタ１０４とが接続される。これにより、ＤＣ電源端子１３に所定の直流電圧が印加される。このように第三実施形態の無線通信装置１０３は、外部の電源回路と装脱着が可能であるため、使い勝手を向上させることができる。
【００６３】
ＤＣ電源端子１３が、充電回路１４の入力側、スイッチ１２の接点１２ｂ、及び電圧検出回路２の入力側に接続される。電圧検出回路２の出力側は制御回路４’のポートＰ３に接続される。
【００６４】
第三実施形態の無線通信装置１０３は二次電池１５を内蔵している。二次電池１５の正極側は電源端子（図示せず）を介して充電回路１４の出力側及びスイッチ１２の接点１２ａに接続される。二次電池１５の負極側は接地される。
【００６５】
さらに、スイッチ１２の共通接点１２ｃがスイッチ３の共通接点３ｃに接続される。スイッチ３の接点３ａが抵抗Ｒ１の一端及び第１通信回路５に接続される。抵抗Ｒ１の他端が発光ダイオードＤ１のアノードに接続され、発光ダイオードＤ１のカソードが接地される。また、スイッチ３の接点３ｂが抵抗Ｒ２の一端及び第２通信回路６に接続される。抵抗Ｒ２の他端が発光ダイオードＤ２のアノードに接続され、発光ダイオードＤ２のカソードが接地される。
【００６６】
さらに、制御回路４’のポートＰ１がスイッチ７を介して接地され、制御回路４’のポートＰ２がスイッチ８を介して接地される。また、制御回路４’のポートＰ１が抵抗Ｒ３の一端に接続され、制御回路４’のポートＰ２が抵抗Ｒ４の一端に接続される。そして、抵抗Ｒ３の他端と抵抗Ｒ４の他端とが互いに接続され、その接続ノードにはＨｉｇｈレベルの電圧＋Ｂが印加される。また、制御回路４’がスイッチ１２の制御端子及びスイッチ３の制御端子にそれぞれ接続される。
【００６７】
このような構成の無線通信装置１０３の動作について説明する。電圧検出回路２は、コンパレータ及び基準電圧源（図示せず）を備えている。電圧検出回路２はＤＣ電源端子１３に印加される電圧を入力し、ＤＣ電源端子１３に印加される電圧と基準電圧源から出力される基準電圧とを比較し、ＤＣ電源端子１３に印加される電圧が基準電圧以上であればＨｉｇｈレベルの信号を制御回路４’のポートＰ３に出力し、ＤＣ電源端子１３に印加される電圧が基準電圧未満であればＬｏｗレベルの信号を制御回路４’のポートＰ３に出力する。
【００６８】
無線通信装置１０３に設けられるスイッチボタン（図示せず）をユーザが操作することによって、スイッチ７及び８の開閉が制御される。スイッチ７が閉成状態であれば制御回路４’のポートＰ１はＬｏｗレベルになり、スイッチ７が開成状態であれば制御回路４’のポートＰ１はＨｉｇｈレベルになる。同様に、スイッチ８が閉成状態であれば制御回路４’のポートＰ２はＬｏｗレベルになり、スイッチ８が開成状態であれば制御回路４’のポートＰ２はＨｉｇｈレベルになる。
【００６９】
制御回路４’の動作は、上述した第二実施形態の場合と同様であるので、説明を省略する。スイッチ７が閉成状態のときは、ＤＣ電源端子１３に印加される電圧の値にかかわらず、強制的にスイッチ１２及び３を介してＤＣ電源端子１３と第１通信回路５とを接続する。したがって、最大データ伝送距離を常に大きく確保したい等の場合にはスイッチ７を閉成状態にするとよい。一方、スイッチ８が閉成状態のときは、ＤＣ電源端子１３に印加される電圧の値にかかわらず、強制的にスイッチ１２及び３を介して二次電池１５と第２通信回路６とを接続する。したがって、常に省電力化を図りたい場合にはスイッチ８を閉成状態にするとよい。
【００７０】
スイッチ７及び８がともに開成状態のときは、ＤＣ電源端子１３に印加される電圧の値が基準電圧以上であれば第１通信回路５が給電される。また、ＤＣ電源端子１３に印加される電圧の値が基準電圧未満であれば第２通信回路６が給電される。
【００７１】
したがって、ＤＣ電源端子１３に印加される電圧が基準電圧以上である場合すなわち消費電力の低減がさほど重要でない場合は、第１通信回路５が給電され、第２通信回路６への給電が停止されるので、最大データ伝送距離が長くなり、無線通信装置間の距離に気を使うことなく、無線通信装置を移動させて使用することができる。一方、ＤＣ電源端子１３に印加される電圧が基準電圧以上でなく二次電池１５が電源になっている場合すなわち消費電力の低減が比較的重要である場合は、第１通信回路５への給電が停止され、第２通信回路６に給電されるので、消費電力が小さくなり、二次電池１５の消耗が低減され通信動作時間を延ばすことができる。
【００７２】
また、第１通信回路５が給電されているときは発光ダイオードＤ１にも電力が供給されるので、発光ダイオードＤ１が発光する。また、第２通信回路６が給電されているときは発光ダイオードＤ２にも電力が供給されるので、発光ダイオードＤ２が発光する。
【００７３】
したがって、ユーザは発光ダイオードＤ１及びＤ２の点灯の有無によって第１通信回路５と第２通信回路６のどちらが動作しているのかを知ることができる。これにより、ユーザが第２通信回路６の動作時すなわち近距離通信時に無線通信装置相互間の距離に予め気を付けて使用することができ、無線通信装置相互間の距離が離れ過ぎているために通信不能となることを防止することができる。
【００７４】
なお、第１通信回路５と第２通信回路６の組み合わせの一例としては、第１通信回路５を「ＩＥＥＥ８０２．１１ｂ」規格に適合する無線通信装置にし、第２通信回路６を「Ｂｌｕｅｔｏｏｔｈ」規格に適合する無線通信装置にする組み合わせが挙げられる。
【００７５】
また、二次電池１５の変わりに一次電池を内蔵してもよい。この場合、充電回路１４を設けない構成にする。また、本実施形態ではＡＣアダプタ１０４の出力電圧をＤＣ電源端子１３に印加したが、ＡＣアダプタ１０４に代えて他のＤＣ電源の出力電圧をＤＣ電源端子１３に印加するようにしてもよい。また、本実施形態では、スイッチ７が閉成状態の場合強制的にスイッチ１２及び３を介してＤＣ電源端子１３と第１通信回路５とを接続し、スイッチ８が閉成状態の場合強制的にスイッチ１２及び３を介して二次電池１５と第２通信回路６とを接続したが、本発明はこれに限定されることはなく、例えばスイッチ７が閉成状態の場合強制的にスイッチ３が接点３ａ側に切り替わるがスイッチ１２はＤＣ電源端子１３に印加される電圧の値に応じて切り替わるようにし、スイッチ８が閉成状態の場合強制的にスイッチ３が接点３ｂ側に切り替わるがスイッチ１２はＤＣ電源端子１３に印加される電圧の値に応じて切り替わるようにしてもよい。
【００７６】
上記第一〜第三実施形態のいずれかの無線通信装置と、図６に示す無線通信装置とによって無線通信システムが構成される。図６の無線通信装置１０５は、第３通信回路１９、第４通信回路２０、及び信号処理回路２１を備えている。第３通信回路１９は第１通信回路５と通信可能な通信回路であり、第４通信回路２０は第２通信回路６と通信可能な通信回路である。
【００７７】
無線通信装置１０５は、第３通信回路１９と第４通信回路２０の両方を常時動作状態にし、信号処理回路２１が第３通信回路１９の送受信信号と第４通信回路２０の送受信信号を処理している。これにより、無線通信装置１０５は、第１通信回路５と第２通信回路６の両方と通信可能となっている。
【００７８】
無線通信装置１０５は、消費電力が大きく携帯端末に設けるのに適さないため、アクセスポイントとして用いることが好ましい。なお、無線通信装置１０５とともに無線通信システムを構成する無線通信装置は一つに限らず、複数であっても構わない。
【００７９】
【発明の効果】
本発明によると、電源の状態に応じて消費電力を変更することができる無線通信装置及びこれを用いた無線通信システムを実現することができる。
【図面の簡単な説明】
【図１】本発明に係る第一実施形態の無線通信装置の構成を示す図である。
【図２】図１の無線通信装置が備える制御回路の動作を示すフローチャート図である。
【図３】本発明に係る第二実施形態の無線通信装置の構成を示す図である。
【図４】図３の無線通信装置が備える制御回路の動作を示すフローチャート図である。
【図５】本発明に係る第三実施形態の無線通信装置の構成を示す図である。
【図６】図１、図３、又は図５の無線通信装置と無線通信を行う無線通信装置の構成を示す図である。
【図７】従来の無線通信システムの構成を示す図である。
【符号の説明】
１　　一次電池
２　　電圧検出回路
３、７、８、１２　　スイッチ
４、４’　　制御回路
５　　第１通信回路
６　　第２通信回路
１１　　電源回路
１５　　二次電池
１９　　第３通信回路
２０　　第４通信回路
２１　　信号処理回路
１０１、１０２、１０３、１０５　　無線通信装置
Ｄ１〜Ｄ２　　発光ダイオード
【図１】
2004015155.tif 000003
【図２】
2004015155.tif 000004
【図３】
2004015155.tif 000005
【図４】
2004015155.tif 000006
【図５】
2004015155.tif 000007
【図６】
2004015155.tif 000008
【図７】
2004015155.tif 000009